(57)【要約】  本発明は、電気モータのブラシホルダ（１０）用のブラシケージ（１３）であって、２つの側壁（２６）と、２つの側壁（２６）を連結する連結壁（２８）と、を備え、側壁（２６）のうちの少なくとも一方は、スプリングアームの通過のための開口（４３）を有し、前記開口（４３）を備えた前記側壁（２６）は、スリップリングから最も離間することが意図された第１端部（５１）と、前記スリップリングに最も近接することが意図された第２端部（５２）との間において計測される長さ（Ｌ０）を有し、前記開口（４３）は、第２端部（５２）に向かって拡大する少なくとも１つの第１部分（４３１）を、２つの端部（５１、５２）の間に備える、ことを特徴とするブラシケージ（１３）に主に関する。
2017537599.tif 000002
【特許請求の範囲】
【請求項１】
電気モータのブラシホルダ（１０）用のブラシケージ（１３）であって、
２つの側壁（２６、２７）と、２つの側壁（２６、２７）を連結する連結壁（２８）と、を備え、
前記側壁（２６、２７）のうちの少なくとも一方は、スプリング（３６）のアーム（３９）の通過のための開口（４３、４３’）を有し、
前記開口（４３、４３’）を備えた前記側壁（２６、２７）は、コミュテータから最も離間することが意図された第１端部（５１）と、前記コミュテータに最も近接することが意図された第２端部（５２）との間において計測される長さ（Ｌ０）を有し、
前記開口（４３、４３’）は、前記第２端部（５２）に向かって拡大する少なくとも１つの第１部分（４３１、４３１’）を、２つの前記端部（５１、５２）の間に備える、
ことを特徴とするブラシケージ。
【請求項２】
前記開口（４３、４３’）の前記第１部分（４３１、４３１’）は、前記側壁（２６、２７）に配設された２つの縁部（４４、４５）を備え、
前記２つの縁部のうちの一方（４４）は、前記拡大を形成するように前記連結壁（２８）に対して傾斜している、
ことを特徴とする請求項１に記載のブラシケージ。
【請求項３】
前記第２縁部（４５）は更に、前記第１縁部（４４）の傾斜の方向に対して反対方向に傾斜している、
ことを特徴とする請求項２に記載のブラシケージ。
【請求項４】
前記開口（４３、４３’）は、前記第１端部（５１）と前記第１部分（４３１、４３１’）との間に延在する第２部分（４３２、４３２’）を備え、
前記第２部分（４３２、４３２’）は、前記第１端部（５１）に向かって拡大する、
ことを特徴とする請求項１乃至３のいずれか一項に記載のブラシケージ。
【請求項５】
前記開口（４３）は、前記第２端部（５２）と前記第１部分（４３１）との間に延在する第３部分（４３３）を備え、
前記第３部分（４３３）は、前記第１端部（５１）に向かって拡大する、
ことを特徴とする請求項４に記載のブラシケージ。
【請求項６】
前記開口（４３）は、前記第２端部（５２）と前記第３部分（４３３）との間に延在する第４部分（４３４）を備え、
前記第４部分（４３４）は、前記側壁（２６、２７）の２つの低壁（５５、５６）を分離する、前記側壁（２６、２７）の平行な縁部によって画成され、
前記ブラシケージ（１３）は、前記２つの低壁（５５、５６）を互いに連結するフィン（５７、５９）を更に備える、
ことを特徴とする請求項５に記載のブラシケージ。
【請求項７】
前記フィン（５７）は、互いに対して傾斜している２つの異なる平面内に延在する２つの部分（５７１、５７２）を備える、
ことを特徴とする請求項６に記載のブラシケージ。
【請求項８】
前記開口（４３’）の前記第１部分（４３１’）は、前記側壁（２６、２７）に配設された３つの縁部（４４’、４５’、４６’）を備え、
それらのうちの１つの縁部（４６’）は、傾斜した縁部（４４’）を第２縁部（４５’）に連結する、
ことを特徴とする請求項１乃至４のいずれか一項に記載のブラシケージ。
【請求項９】
第１及び第２側壁（２６、２７）を備えたブラシケージであって、
各側壁（２６、２７）は、開口（４３、４３’）を有し、
前記第１側壁（２６）は、請求項１乃至７のいずれか一項に記載の開口（４３）を備え、
前記第２側壁（２７）は、請求項８に記載の開口（４３’）を備える、
ことを特徴とするブラシケージ。
【請求項１０】
請求項１乃至９のいずれか一項に記載のようなブラシケージ（１３）が設けられた、電気モータのブラシホルダ（１０）。
【請求項１１】
請求項１０に記載のようなブラシホルダ（１０）を備えた電気モータ。
【請求項１２】
請求項１１に記載のような電気モータを備えた、自動車両のスターター。
【発明の詳細な説明】
【技術分野】
【０００１】
本発明は、自動車両のスターター用のブラシケージ、並びに対応するブラシホルダ、電気モータ、及びスターターに関する。とりわけ、本発明は、自動車両用スターター、特に自動的に熱機関を停止及び再始動する機能（「ストップ・アンド・スタート」機能）を有する車両に設置された自動車両用スターターに、非独占的であるが有利に適用される。
【背景技術】
【０００２】
公知の態様で、ブラシをロータのシャフトと一体の電気的なコミュテータ（整流子、commutator）と協働させるように、ブラシホルダはスターターのロータのシャフトに取付けられる。ブラシホルダは、一連のケージを支持するベースプレートを備え、各ケージはブラシのハウジングとして機能する。導電材料から構成されるブラシにより、ロータの導体内における電流の整流によってロータに電力が供給されることが可能とされる。
【０００３】
この目的のために、各ブラシは、ロータの巻線に連結されたコミュテータの導電セグメントに摩擦接触することが意図された面を備えている。スプリング等の弾性手段が、ケージに保持された各ブラシにコミュテータの方向において力を及ぼして、ブラシとコミュテータのセグメントとの接触を確保している。
【０００４】
ブラシは交番極性を有する。したがって、正極性のブラシは、それらの編組を介してブラシ間コネクタに電気的に連結される。ブラシ間コネクタには、スターターの接触子から延びる給電線が同様に電気的に連結される。また、電流を復帰させることが意図されたブラシは、ベースプレートに溶接されたそれらの編組により、装置の本体に電気的に連結される。
【０００５】
図１に示すように、ブラシホルダの一構成において、螺旋スプリング１を使用することが知られている。螺旋スプリング１は、脚部３に取付けられたコイル部２と、このコイル部２から延在するアーム４とを備えている。アーム４は、ブラシ５の、コミュテータのセグメントに接触する面とは反対の端面に支承されることが意図されている。スプリング１がブラシ５に力を及ぼすことができるように、アーム４は、ブラシケージ８の側壁７に設けられた開口６を貫通している。
【０００６】
スプリング１により脚部３に及ぼされるトルク、及びシステムが受ける振動により、スプリング１は、脚部３に対して横方向に位置決めされて、開口６の平行な縁部（動作条件に応じて高縁部（矢印Ｆ参照）又は低縁部）に摩擦接触する傾向があり、これによりスプリング１のアーム４の変位がブロックされてしまう場合がある。
【発明の概要】
【０００７】
本発明の目的は、
電気モータのブラシホルダ用のブラシケージであって、
‐２つの側壁と、２つの側壁を連結する連結壁と、を備え、
‐前記側壁のうちの少なくとも一方は、スプリングアームの通過のための開口を有し、
‐前記開口を備えた前記側壁は、コミュテータから最も離間することが意図された第１端部と、前記コミュテータに最も近接することが意図された第２端部との間において計測される長さを有し、
前記開口は、前記第２端部に向かって拡大する少なくとも１つの第１部分を、２つの前記端部の間に備えることを特徴とするブラシケージ、を提案することによりこの欠点を効果的に克服することである。
【０００８】
このように、ブラシケージの側壁に配設された開口の拡大形状によって、スプリングはその行程に際してより大きい自由度を有する。これにより、スプリングがその支持体に対して横方向に位置決めされているときに、スプリングの変位がブロックされることが回避される。
【０００９】
一実施形態によれば、前記開口の前記第１部分は、前記側壁に配設された２つの縁部を備え、前記両縁部のうちの一方は、前記拡大を形成するように前記連結壁に対して傾斜している。
【００１０】
一実施形態によれば、前記第２縁部は、前記第１縁部の傾斜の方向に対して反対方向に傾斜している。
【００１１】
一実施形態によれば、前記開口は、前記第１端部と前記第１部分との間に延在する第２部分を備え、前記第２部分は、前記第１端部に向かって拡大する。これにより、螺旋スプリングのアームの挿入及び中心合わせを容易化することができる。
【００１２】
一実施形態によれば、前記開口は、前記第２端部と前記第１部分との間に延在する第３部分を備え、前記第３部分は、前記第１端部に向かって拡大する。これにより、ブラシの編組を、コミュテータの付近に配置された領域における壁の開口に挿入させることを容易化することができる。
【００１３】
一実施形態によれば、前記開口は、前記第２端部と前記第３部分との間に延在する第４部分を備え、前記第４部分は、前記側壁の２つの低壁を分離する、前記側壁の平行な縁部によって画成され、前記ブラシケージは、前記２つの低壁を互いに連結するフィンを更に備える。
【００１４】
一実施形態によれば、前記フィンは、互いに対して傾斜している２つの異なる平面内に延在する２つの部分を備える。このため、ブラシケージの剛性が向上する。
【００１５】
一実施形態によれば、前記開口の前記第１部分は、前記側壁に配設された３つの縁部を備え、それらのうちの１つの縁部は、傾斜した縁部を第２縁部に連結する。
【００１６】
一実施形態によれば、前記ブラシケージは第１及び第２側壁を備え、各側壁は開口を有し、
‐前記第１側壁は、上述のような部分を４つより多く有する開口を備え、
‐前記第２側壁は、上述のような部分を２つより多く有する開口を備える。
【００１７】
また、本発明は、上述のようなブラシケージを設けられた、電気モータのブラシホルダを目的としている。
【００１８】
更に、本発明は、上述のようなブラシホルダを備えた電気モータに関する。
【００１９】
同じく、本発明は、上述のような電気モータを備えた、自動車両のスタータに関する。
【００２０】
本発明は、以下の説明を読み且つ添付図面を精査することでより良く理解されるであろう。これらの図面は、完全に例示的なものとしてのみ呈示され、本発明を制限するものでは全くない。
【図面の簡単な説明】
【００２１】
【図１】ブラシケージと対応する螺旋スプリングの背面図であって、従来技術の装置が有する摩擦に関する問題を説明する図。
【図２】本発明による電気モータのブラシホルダの斜視図。
【図３】図２のブラシホルダ用のベースプレートの斜視図。
【図４ａ】本発明によるブラシケージの第１実施形態を示す側面図。
【図４ｂ】本発明によるブラシケージの第１実施形態を示す斜視図。
【図４ｃ】本発明によるブラシケージの第１実施形態を、図４ｂの場合とは異なる視角から示す斜視図。
【図５】本発明によるブラシケージの第２実施形態を示す斜視図。
【図６】本発明によるブラシケージの第３実施形態を示す斜視図。
【図７ａ】本発明による螺旋スプリングの一実施形態を示す斜視図。
【図７ｂ】本発明による螺旋スプリングの別の実施形態を示す斜視図。
【図７ｃ】本発明の螺旋スプリングの更に別の実施形態を示す斜視図。
【発明を実施するための形態】
【００２２】
各図において、同一の、類似の、又は相似する部品には同じ符号が付されている。
【００２３】
図２は、自動車両のスタータとともに使用されることが意図されている、本発明によるブラシホルダ１０を示す。ブラシホルダ１０は、略環状の形状のベースプレート１２を備え、このベースプレート１２上に、それぞれがブラシ１５のハウジングとして機能する一連のケージ１３が固定される。ベースプレート１２の軸Ｘは、ブラシホルダ１０の軸に一致する。
【００２４】
図３により明瞭に示されるベースプレート１２は、メタルプレート１２１と、このメタルプレート１２１の両面を覆うオーバーモールド層１２２とを備えた一体部品である。オーバーモールド層１２２は、良好な電気絶縁性を保証するプラスチックから構成される。オーバーモールド層は、ベースプレート１２の全ての危険領域、すなわち、短絡が発生し得る全ての領域を覆う。オーバーモールド層１２２は感熱性であり、過熱となった場合に短絡が発生し得るように、所定の温度を超えると変形可能となっている。典型的には、オーバーモールド層１２２に使用されるプラスチックは、ポリアミドＰＡ４．６又はＰＡ６．６、或いは繊維強化ポリプロピレンＰＰＳ等の熱可塑性材料である。
【００２５】
ベースプレート１２、及びこれが支持するケージ１３は、カバー（図示せず）に締結されて、電気機械のロータのシャフト用の後方軸受を形成する。更に、ベースプレート１２の中央部は開口１６を備え、この開口１６を介して、ベースプレート１２がブラシケージ１３及びブラシ１５とともに形成するサブアセンブリが、スターターのロータのシャフトの周囲に取付けられる。
【００２６】
各ブラシ１５は、ケージ１３の内部に摺動可能に取付けられる。ケージ１３は軸Ｘの側において開放しており、これにより、ブラシ１５が、電気機械（図示せず）のロータのコミュテータにより支持されたセグメントに対して電気的に接触することが可能とされている。
【００２７】
ブラシ１５は交番極性を有する。したがって、正極性のブラシ１５は、それらの編組１９を介してブラシ間コネクタ２０に電気的に連結される。ブラシ間コネクタ２０には、スターターの接触子から延びる給電線が同様に電気的に連結される。実際には、ブラシ間コネクタ２０は、スタータの骨組みと協働してブラシホルダ１０のシール性を確保するグロメット２２を貫通するピン２１を介して給電線に連結される。
【００２８】
正極ブラシ１５とその対応するケージ１３は、スタータの良好な動作を目的として負極性から電気的に絶縁されている。この絶縁はオーバーモールド層１２２により得られる。有利には、プレート１２１に対する溶接を容易化すべく、柔軟な編組１９は銅又は銅合金から構成される。編組１９は、ヒューズとしても機能し得る。また、電流を復帰させることが意図された負極性のブラシ１５は、ベースプレート１２のプレート１２１に溶接されたそれらの編組１９のそれぞれにより、装置の本体に電気的に連結される。
【００２９】
より正確には、図４ａ乃至４ｃに良く示すように、各ブラシケージ１３は、２つの側壁２６、２７によって画成された、ブラシ１５用のハウジング２３を有している。側壁２６、２７は、互いに対して平行であり、上方連結壁２８により互いに連結されている。各ケージ１３は、詳細を後述する締結装置３１によってベースプレート１２に固定される。締結装置３１は、側壁２６、２７の下方縁部から延びる端部壁３２、３３に付属する。
【００３０】
また、各ケージ１３に関連付けられた螺旋スプリング３６が、対応するブラシ１５をコミュテータのセグメントに向かって径方向に引き付ける。この目的のために、各スプリング３６は、コイル部３７とアーム３９とを備える。コイル部３７は、軸Ｘに対して軸方向に延在する脚部３８の周囲に取付けられている。アーム３９は、ブラシ１５の、コミュテータのセグメントに接触する面とは反対の面に接触して支持されることが意図されている。ブラシ１５のハウジング２３の外部に延在する脚部３８は、実際には、各ケージ１３の端部壁３２、３３のうちの一方を折り曲げることにより得られる。
【００３１】
図４ａに明瞭に示すように、側壁２６は、スプリング３６のアーム３９の通過のための開口４３を有している。この側壁２６は、軸Ｘに対して垂直な方向に沿って、コミュテータから最も離間した第１端部５１と、コミュテータに最も近接した（スプリングのアーム３９とは反対側に位置する）第２端部５２との間で計測される、長さＬ０を有している。
【００３２】
開口４３は、２つの端部５１と５２との間において、第２端部５２に向かって拡大する少なくとも１つの第１部分４３１を備えている。すなわち、軸Ｘに沿って計測される第１部分４３１の幅Ｌ１が、第２端部５２に向かうにつれて増大する。開口４３のこの第１部分４３１は、側壁２６に配設された２つの対向する縁部４４、４５を備えている。拡大を形成するように、これらの縁部のうちの一方の縁部４４は連結壁２８に対して傾斜し、第２縁部４５も第１縁部４４の傾斜方向に対して反対方向に傾斜している。或いは、拡大を形成するように２つの縁部４４、４５のうちの一方のみが傾斜している。
【００３３】
更に、開口４３は、第１端部５１と第１部分４３１との間に延在する第２部分４３２を備えている。この第２部分４３２は、第１端部５１に向かって拡大している。すなわち、軸Ｘに沿って計測される第２部分４３２の幅Ｌ２が、第１端部５１に向かうにつれて増大する。第２部分４３２により、スプリング３６のアーム３９の挿入及び中心合わせを容易化することができる。
【００３４】
開口５４は、第２端部５２と第１部分４３１との間に延在する第３部分４３３を備えている。この第３部分４３３は、第１端部５１に向かって拡大している。すなわち、軸Ｘに沿って計測される第３部分の幅Ｌ３が、第１端部５１に向かうにつれて増大する。第３部分４３３により、ブラシ１５の摩耗を理由とする編組１９のコミュテータに向かう変位に際して、ブラシ１５の編組１９の挿入を容易化することができる。
【００３５】
開口４３は、第２端部５２と第３部分４３３との間に延在する第４部分４３４を備えている。この第４部分４３４は、壁２６の平行な縁部により画成されている。換言すれば、この第４部分４３４は、軸Ｘに沿って計測される略一定である幅Ｌ４を有している。この部分４３４の縁部は、壁２６を形成する２つの低壁５５、５６を分離している。全体としてＬ字形状のこれら２つの低壁５５、５６は、フィン５７によって連結されている。
【００３６】
ケージ１３の剛性を向上させるために、図４ｃに明瞭に示すように、フィン５７は、互いに異なる傾斜平面において延在する２つの部分５７１、５７２を備えている。コミュテータに最も近接する対応するケージ１３に配置されたブラシ１５の編組１９の通過を許容するように、開口４３の第４部分４３４は、フィン５７に配設されたノッチ５８内を延在し得ることに留意されたい。
【００３７】
図４ｂに示すように、他方の側壁２７は、開口４３の第１部分４３１及び第２部分４３２のそれぞれと同様の構成を有する第１部分４３１’と第２部分４３２’とを備えた開口４３’を有している。この場合、壁２７に配設された、傾斜した縁部４４’及び４５’が、軸Ｘに対して平行な配向を有する縁部４６’により互いに連結されている。換言すれば、側壁２７は、壁２７の平面内に延在するバンド材料により、コミュテータの側で互いに連結された２つの低壁によって形成されている。或いは、２つの縁部４４’及び４５’のうちの一方のみが傾斜している。コミュテータの側にあるブラシ１５の面の側において、壁２７の縁部からフィン５９が延びてケージ１３を機械的に強化している。
【００３８】
図２に示すように、編組１９がプレート１２１に溶接された負極性のブラシ１５について、ブラシ１５の編組１９及び対応するスプリング３６のアーム３９は、ケージ１３の同じ側に配置され得る。実際に、編組１９とアーム３９は、スプリング３６のアーム３９の通過を許容する開口部分４３１、４３２、並びに編組１９の通過を許容する開口部分４３３、４３４を備えた壁２６の側に配置される。
【００３９】
また、インターコネクタ２０に溶接された編組１９を有する正極性のブラシ１５について、スプリング３６のアーム３９と編組１９は、ブラシ１５の両側にそれぞれ配置される。この場合、スプリング３６は、そのアーム３９が開口４３’の部分４３１’、４３２’を貫通するように壁２７の側に配置される一方、編組１９は、スプリング３６の行程の終点においてスプリングが開口部分４３３、４３４並びにフィン５７のノッチ５８を貫通可能となるように壁２６の側に配置され、これにより、編組１９はコミュテータに可能な限り近接するよう移動してブラシ１５の潜在的使用を最大とし得る。
【００４０】
或いは、図５に示すように、壁２６の開口４３は第４部分４３４を有さず、第３部分４３３がフィン５７に形成されたノッチ５８内に直接的に延在している。この場合、開口４３は、フィン５９により互いに連結された２つのＬ字形状の低壁５５、５６を分離する。開口４３’及び２つの対応する部分４３１’及び４３２’を設けられた側壁２７は、図４ａ乃至４ｃの実施形態と同様である。
【００４１】
或いは、図６に示すように、２つの側壁２６、２７は対称であるとともに同一の開口４３を有し、第１部分４３１、第２部分４３２及び第３部分４３３は、図５の実施形態のように、対応するフィン５７、５９に形成されたノッチ５８内に延在する。
【００４２】
また、ベースプレート１２を締結するためのシステムが、２組の脚部６１、６２により形成されている。各組の脚部６１、６２は、対向する端部壁３２、３３から延びている。各組の脚部６１は、その厚さに応じて形成される孔６３（図３参照）を介してベースプレート１２を貫通することが意図されている。各組の他方の脚部６２は、開口１６を画成する内側輪郭の側面に支持される。図４ａ及び６に示すように、各組の脚部６１、６２は、互いに向かって折り曲げられてベースプレート１２に接触することが意図されている。或いは、締結システム３１は、ベースプレート１２及びブラシケージ１３の端部壁３２、３３を貫通する少なくとも１つのリベットを備えている。例示的な実施形態において、各ケージ１３は、分岐端がベースプレート１２に固定されるオメガ（omega）を実質的に形成するように薄い金属プレートを折り曲げることにより得ることができる。
【００４３】
好適には、負極性のケージ１３とプレート１２１との間に脚部６１、６２を介して電気接点が形成され得るように、負極性のケージ１３の脚部６１、６２を受容する孔６３と、負極性のブラシ１５を受容するケージ１３に接触するベースプレート１２の領域とは、電気的に絶縁されていない。この接点は、同一の電位を有するように設計された部品同士の間に電気接点、実際には本適用例のマス電位を形成することに関与するのであれば、スタータの動作に不利となることはない。
【００４４】
図７ａ乃至７ｃに明瞭に示すように、スプリング３６のコイル部３７は、軸Ｙ周囲の複数の螺旋コイル３７１により形成されている。アーム３９は、脚部３８に取付けられたコイル部３７の端部から延在する。アーム３９は、コミュテータのセグメントに支承されるブラシ１５の面とは反対の、ブラシ１５の後面に対して支持されることが意図されている。
【００４５】
図７ａの実施形態において、アーム３９は部分３９１を有し、軸Ｙに沿って計測されるその幅Ｌ５は、軸Ｙに沿って計測されるコイル部３７の幅Ｌ６より小さい。この部分３９１は、アーム３９の、コイル部３７の幅Ｌ６に等しい幅を有する一部から延びるとともにアーム３９のバンド材料の内部に向かって延在する２つの凹部６８により画成される。
【００４６】
減少した幅を有するアーム３９の当該部分３９１は、スプリング３６の工程の始点とスプリング３６の工程の終点との間において、側壁２６の開口４３を貫通するアーム３９の一部の長さに少なくとも等しい。ここで、スプリング３６の工程の始点とは、寿命の始まりにおいて最大長さを有するブラシ１５に対するスプリング３６のアーム３９の位置に対応し、スプリング３６の工程の終点とは、寿命の終わりにおいて最小の長さを有するブラシ１５に対するスプリング３６のアーム３９の位置に対応するものとして規定される。実際に、部分３９１は、ブラシ１５に支持されたケージ１３に配置されたアーム３９の端部まで延在する。
【００４７】
図７ｂの実施形態において、減少した幅を有する部分３９１は、スプリング３６の工程の始点と終点との間において、側壁２６の開口４３を貫通するアーム３９の一部の長さに略等しい。この場合、アーム３９は、ケージ１３に配置されたアーム３９の第１部分３９１と端部との間に延在する第２部分３９２を備え得る。第２部分３９２の幅Ｌ７は、第１部分３９１の幅Ｌ５より大きい。実際には、第２部分３９２の幅はコイル部３７の幅Ｌ６に等しいが、異なってもよい。部分３９２は、その端部における２つの凹部６８と、反対側において第１部分３９１と第２部分３９２との間に配置された２つの別の同様の凹部６９とによって画成される。
【００４８】
特定の例示的な実施形態において、第１部分３９１は４乃至８ｍｍの範囲の幅Ｌ５を有する。コイル部３７は、第１部分３９１の幅Ｌ５より１ｍｍ大きい幅Ｌ６を有する。螺旋スプリング３６を形成する金属コイルは、０．２５乃至０．７ｍｍの範囲の厚さを有する。コイル部３７の直径は、約１０ｍｍである。当然ながら、これらの寸法は適用例に応じて変わり得る。
【００４９】
多くの場合において、スプリング３６のパワーを最大とするようにコイル部３７は、開口４３を貫通するアーム３９の部分３９１より大きいが、厳しい空間の制約下にある実施形態においては、図７ｃに示すように、スプリング３６のアーム３９は、コイル部３７の幅Ｌ６より大きい幅Ｌ５を持つ部分３９１を有する。このような構成により、アーム３９がブラシ１５の支持領域に適合可能となるとともに、スプリング３６は縮小した体積を有することができる。この場合、凹部６８は、アーム３９の、コイル部３７と同じ幅を有する部分から、スプリング３６を形成するバンド材料の外側に向かって延在する。
【００５０】
或いは、スプリング３６のアーム３９は、端面の一部に支承されているのみである。例えば、この部分は、溝７５のベースに対応していてもよく、図２に示すように、変位中のスプリング３６のアーム３９の案内を容易化することができる。
【００５１】
当然ながら、下記の請求項により規定される本発明の構想を逸脱することなく、当業者は、上述のブラシホルダ１０の構成を変更することができるであろう。
【００５２】
したがって、特に別の選択肢として、ブラシホルダ１０は４つより多いブラシ１５を備え、例えば、各ブラシ１５はベースプレート１２の反対側に配置された別のブラシに関連付けられ得る。
【００５３】
ここで、ブラシホルダ１０は、自動車のスターターの電気モータのブラシホルダである。或いは、ブラシホルダ１０は、オルタネータやスターター‐オルタネータに関するものであってもよい。
【図１】
2017537599.tif 000003
【図２】
2017537599.tif 000004
【図３】
2017537599.tif 000005
【図４ａ】
2017537599.tif 000006
【図４ｂ】
2017537599.tif 000007
【図４ｃ】
2017537599.tif 000008
【図５】
2017537599.tif 000009
【図６】
2017537599.tif 000010
【図７ａ】
2017537599.tif 000011
【図７ｂ】
2017537599.tif 000012
【図７ｃ】
2017537599.tif 000013
【国際調査報告】
2017537599.tif 000014
2017537599.tif 000015
2017537599.tif 000016
2017537599.tif 000017
2017537599.tif 000018
2017537599.tif 000019